(57)【特許請求の範囲】
【請求項１】
トンネル内の通行方向に交差するトンネル断面内で路面に傾斜した状態で前記トンネルの壁面に設置されるとともに光出射領域から前記路面に照明光を照射する照明装置であって、
前記壁面に固定されるケース基板を含む光源ユニット収納ケースと、
該ケース基板に設置された上側光源ユニットと、
該上側光源ユニットの下側で前記ケース基板に設置されているとともに前記上側光源ユニットと前記ケース基板の光源ユニット設置面とで形成される上側光源ユニット設置角度より大きい角度である下側光源ユニット設置角度を形成するように前記ケース基板に設置された下側光源ユニットとを備え、
前記上側光源ユニットが、前記トンネル断面内で相互に交差して山型の断面形状を形成する一対の斜線の少なくとも一部を構成した一対の上側光源エレメント配置面を有する上側光源エレメント用台座部と、前記一対の上側光源エレメント配置面にそれぞれ配置された第１上側光源エレメント及び第２上側光源エレメントとを有し、
前記下側光源ユニットが、前記トンネル断面内で相互に交差して山型の断面形状を形成する一対の斜線の少なくとも一部を構成した一対の下側光源エレメント配置面を有する下側光源エレメント用台座部と、前記一対の下側光源エレメント配置面にそれぞれ配置された第１下側光源エレメント及び第２下側光源エレメントとを有し、
前記第１上側光源エレメント、第２上側光源エレメント、第１下側光源エレメント及び第２下側光源エレメントが、光源光を出射する半導体発光素子と、該半導体発光素子を内包する集光レンズとをそれぞれ有し、
前記トンネル断面内で前記上側光源ユニットより前記ケース基板に近い位置から前記上側光源ユニットを臨む凹状の光反射面を形成した上側光反射鏡と、
前記トンネル断面内で前記下側光源ユニットより前記ケース基板に近い位置から前記下側光源ユニットを臨む凹状の光反射面を形成した下側光反射鏡とを備え、
前記上側光反射鏡の中心線が、前記一対の上側光源エレメント配置面の交点に重なり、
前記下側光反射鏡の中心線が、前記光源ユニット設置面に沿って前記一対の下側光源エレメント配置面の交点から前記光出射領域の外側寄りにずれ、
前記第１上側光源エレメントが、前記トンネル断面内で前記第２上側光源エレメントより上側に配置され、
前記第１下側光源エレメントが、前記トンネル断面内で前記第２下側光源エレメントより下側に配置され、
前記上側光反射鏡の中心線と下側光反射鏡の中心線との中間点を通るとともに前記光源ユニット設置面に直交する法線と前記第１上側光源エレメントの上側エレメント端部及び前記光出射領域の上側領域端部を通る上側端部接続線とが形成する角度が、前記法線と前記第１下側光源エレメントの下側エレメント端部及び前記光出射領域の下側領域端部を通る下側端部接続線とが形成する角度より小さいことを特徴とする照明装置。
【請求項２】
前記上側光源ユニット設置角度が、前記トンネル断面内で前記一対の上側光源エレメント配置面のそれぞれの端部を相互に接続した上側仮想接続線と前記光源ユニット設置面に平行な仮想角度基準線との交差角度であり、
前記下側光源ユニット設置角度が、前記トンネル断面内で前記一対の下側光源エレメント配置面のそれぞれの端部を相互に接続した下側仮想接続線と前記仮想角度基準線との交差角度であることを特徴とする請求項１に記載の照明装置。
【発明の詳細な説明】
【技術分野】
【０００１】
本発明は、トンネル等で使用される照明装置に関するものである。
【背景技術】
【０００２】
従来、トンネル内に設置される照明装置としては、トンネル縦断面に対して余弦曲線に近似した配光を出射する照明器具等を備えているもの（例えば、特許文献１参照。）や照度むらを抑制したもの（例えば、特許文献２参照。）がある。
また、ＬＥＤを用いて無駄な消費電力を抑え、光を効率良く利用して光照射範囲内の照度を高めるもの（例えば、特許文献３参照。）がある。
【先行技術文献】
【特許文献】
【０００３】
【特許文献１】特開平９−８２１１１号公報（請求項１、図１参照。）
【特許文献２】特開平７−２７２５０８号公報（請求項１、図１参照。）
【特許文献３】特開２０１０−６７３６７号公報（請求項１、図１参照。）
【発明の概要】
【発明が解決しようとする課題】
【０００４】
しかしながら、外光が差し込まないトンネル内では、照明装置の光源から出射される光量を増大させて路面を均一且つ高い照度で照らし出すため、照明装置の消費電力を増大させてしまうという問題点があった。
また、トンネル内の照明装置に蛍光灯等の光源を用いた場合、光源から四方八方に光を放射してしまうため、路面に照射されない光を発生させて路面照度及びその均一性の低下を招くという問題点があった。
【０００５】
そこで、本発明が解決しようとする技術的課題、すなわち、本発明の目的は、トンネル内における路面照度及びその均一性を向上させるとともに消費電力増大を回避する照明装置を提供することである。
【課題を解決するための手段】
【０００６】
まず、本請求項１に係る発明の照明装置は、トンネル内の通行方向に交差するトンネル断面内で路面に傾斜した状態で前記トンネルの壁面に設置されるとともに光出射領域から前記路面に照明光を照射する照明装置であって、前記壁面に固定されるケース基板を含む光源ユニット収納ケースと、前記ケース基板に設置された上側光源ユニットと、該上側光源ユニットの下側で前記ケース基板に設置されているとともに前記上側光源ユニットと前記ケース基板の光源ユニット設置面とで形成される上側光源ユニット設置角度より大きい角度である下側光源ユニット設置角度を形成するように前記ケース基板に設置された下側光源ユニットとを備え、前記上側光源ユニットが、前記トンネル断面内で相互に交差して山型の断面形状を形成する一対の斜線の少なくとも一部を構成した一対の上側光源エレメント配置面を有する上側光源エレメント用台座部と、前記一対の上側光源エレメント配置面にそれぞれ配置された第１上側光源エレメント及び第２上側光源エレメントとを有し、前記下側光源ユニットが、前記トンネル断面内で相互に交差して山型の断面形状を形成する一対の斜線の少なくとも一部を形成した一対の下側光源エレメント配置面を有する下側光源エレメント用台座部と、前記一対の下側光源エレメント配置面にそれぞれ配置された第１下側光源エレメント及び第２下側光源エレメントとを有し、前記第１上側光源エレメント、第２上側光源エレメント、第１下側光源エレメント及び第２下側光源エレメントが、光源光を出射する半導体発光素子と、該半導体発光素子を内包する集光レンズとをそれぞれ有し、前記トンネル断面内で前記上側光源ユニットより前記ケース基板に近い位置から前記上側光源ユニットを臨む凹状の光反射面を形成した上側光反射鏡と、前記トンネル断面内で前記下側光源ユニットより前記ケース基板に近い位置から前記下側光源ユニットを臨む凹状の光反射面を形成した下側光反射鏡とを備え、前記上側光反射鏡の中心線が、前記一対の上側光源エレメント配置面の交点に重なり、前記下側光反射鏡の中心線が、前記光源ユニット設置面に沿って前記一対の下側光源エレメント配置面の交点から前記光出射領域の外側寄りにずれ、前記第１上側光源エレメントが、前記トンネル断面内で前記第２上側光源エレメントより上側に配置され、前記第１下側光源エレメントが、前記トンネル断面内で前記第２下側光源エレメントより下側に配置され、前記上側光反射鏡の中心線と下側光反射鏡の中心線との中間点を通るとともに前記光源ユニット設置面に直交する法線と前記第１上側光源エレメントの上側エレメント端部及び前記光出射領域の上側領域端部を通る上側端部接続線とが形成する角度が、前記法線と前記第１下側光源エレメントの下側エレメント端部及び前記光出射領域の下側領域端部を通る下側端部接続線とが形成する角度より小さいことにより、前述した課題を解決したものである。
【０００７】
そして、本請求項２に係る発明は、請求項１に係る照明装置において、前記上側光源ユニット設置角度が、前記トンネル断面内で前記一対の上側光源エレメント配置面のそれぞれの端部を相互に接続した上側仮想接続線と前記光源ユニット設置面に平行な仮想角度基準線との交差角度であり、前記下側光源ユニット設置角度が、前記トンネル断面内で前記一対の下側光源エレメント配置面のそれぞれの端部を相互に接続した下側仮想接続線と前記仮想角度基準線との交差角度であることにより、前述した課題をさらに解決したものである。
【発明の効果】
【０００８】
本発明の請求項１に係る照明装置は、トンネル内の通行方向に交差するトンネル断面内で路面に傾斜した状態で前記トンネルの壁面に設置されるとともに光出射領域から前記路面に照明光を照射することにより、路面を照らすことができる。
本発明の請求項１に係る照明装置は、前記壁面に固定されるケース基板を含む光源ユニット収納ケースと、前記ケース基板に設置された上側光源ユニットと、該上側光源ユニットの下側で前記ケース基板に設置されているとともに前記上側光源ユニットと前記ケース基板の光源ユニット設置面とで形成される上側光源ユニット設置角度より大きい角度である下側光源ユニット設置角度を形成するように前記ケース基板に設置された下側光源ユニットとを備え、前記上側光源ユニットが、前記トンネル断面内で相互に交差して山型の断面形状を形成する一対の斜線の少なくとも一部を構成する一対の上側光源エレメント配置面を有する上側光源エレメント用台座部と、前記一対の上側光源エレメント配置面にそれぞれ配置された第１上側光源エレメント及び第２上側光源エレメントとを有し、前記下側光源ユニットが、前記トンネル断面内で相互に交差して山型の断面形状を形成する一対の斜線の少なくとも一部を構成した一対の下側光源エレメント配置面を有する下側光源エレメント用台座部と、前記一対の下側光源エレメント配置面にそれぞれ配置された第１下側光源エレメント及び第２下側光源エレメントとを有し、前記第１上側光源エレメント、第２上側光源エレメント、第１下側光源エレメント及び第２下側光源エレメントが、光源光を出射する半導体発光素子と、該半導体発光素子を内包する集光レンズとをそれぞれ有していることにより、第１上側光源エレメント、第２上側光源エレメント、第１下側光源エレメント及び第２下側光源エレメントのそれぞれの半導体発光素子から出射された光源光を各集光レンズで集光した後、上側光源ユニット及び下側光源ユニットのそれぞれから照射範囲をずらして路面に照明光を照射するため、照明光が照射されるべき路面以外に照射される照明光を無くして路面の照明照度の向上及び均一性の向上を実現するとともに消費電力増大を回避することができる。
【０００９】
さらに、前記トンネル断面内で前記上側光源ユニットより前記ケース基板に近い位置から前記上側光源ユニットを臨む凹状の光反射面を形成した上側光反射鏡と、前記トンネル断面内で前記下側光源ユニットより前記ケース基板に近い位置から前記下側光源ユニットを臨む凹状の光反射面を形成した下側光反射鏡とを備え、前記上側光反射鏡の中心線が、前記一対の上側光源エレメント配置面の交点に重なり、前記下側光反射鏡の中心線が、前記光源ユニット設置面に沿って前記一対の下側光源エレメント配置面の交点から前記光出射領域の外側寄りにずれていることにより、前記第１上側光源エレメント、第２上側光源エレメント、第１下側光源エレメント及び第２下側光源エレメントのそれぞれの半導体発光素子から出射された光源光のうち光出射領域に向かわない光源光を上側光反射鏡及び下側光反射鏡のそれぞれの光反射面で光出射領域に反射して光源光の無駄を回避するため、消費電力増大を回避して路面の照明照度の向上をより一層実現することができる。
【００１０】
また、前記第１上側光源エレメントが、前記トンネル断面内で前記第２上側光源エレメントより上側に配置され、前記第１下側光源エレメントが、前記トンネル断面内で前記第２下側光源エレメントより下側に配置され、前記上側光反射鏡の中心線と下側光反射鏡の中心線との中間点を通るとともに前記光源ユニット設置面に直交する法線と前記第１上側光源エレメントの上側エレメント端部及び前記光出射領域の上側領域端部を通る上側端部接続線とが形成する角度が、前記法線と前記第１下側光源エレメントの下側エレメント端部及び前記光出射領域の下側領域端部を通る下側端部接続線とが形成する角度より小さいことにより、相対的に第１上側光源エレメント及び第２上側光源エレメントより路面に近い位置に配置された第１下側光源エレメント及び第２下側光源エレメントの光出射方向をそれぞれ路面に向かせるため、無駄な光源光を無くして路面の照明照度の向上をより一層実現することができる。
【００１１】
そして、本請求項２に係る照明装置は、請求項１に係る照明装置が奏する効果に加えて、前記上側光源ユニット設置角度が、前記トンネル断面内で前記一対の上側光源エレメント配置面のそれぞれの端部を相互に接続した上側仮想接続線と前記光源ユニット設置面に平行な仮想角度基準線との交差角度であり、前記下側光源ユニット設置角度が、前記トンネル断面内で前記一対の下側光源エレメント配置面のそれぞれの端部を相互に接続した下側仮想接続線と前記仮想角度基準線との交差角度であることにより、上側仮想接続線及び下側仮想接続線のそれぞれと仮想角度基準線との交差角度に応じて路面の広い範囲の照明光を照射するため、照明光が照射されるべき路面以外に照射される照明光を確実に無くして路面の照明照度の向上及び均一性の向上をより一層実現するとともに消費電力増大をより一層回避することができる。
【図面の簡単な説明】
【００１２】
【図１】本発明の一実施例に係る照明装置の据え付け図。
【図２】図１を通行方向に交差する方向から見たトンネル断面図。
【図３】本発明の一実施例に係る照明装置を一部破断した斜視図。
【図４】本発明の一実施例に係る照明装置の破断平面図。
【図５】本発明の一実施例に係る照明装置の使用態様図。
【図６】本発明の一実施例に係る照明装置の配置状態を示した平面図。
【図７】本発明の一実施例に係る照明装置の断面図。
【図８】本発明の一実施例に係る照明装置の拡大平面図。
【発明を実施するための形態】
【００１３】
本発明の照明装置は、トンネル内の通行方向に交差するトンネル断面内で路面に傾斜した状態で前記トンネルの壁面に設置されるとともに光出射領域から路面に照明光を照射するものであって、壁面に固定されるケース基板を含む光源ユニット収納ケースと、ケース基板に設置された上側光源ユニットと、この上側光源ユニットの下側でケース基板に設置されているとともに上側光源ユニットとケース基板の光源ユニット設置面とで形成される上側光源ユニット設置角度より大きい角度である下側光源ユニット設置角度を形成するようにケース基板に設置された下側光源ユニットとを備え、上側光源ユニットが、トンネル断面内で相互に交差して山型の断面形状を形成する一対の斜線の少なくとも一部を構成した一対の上側光源エレメント配置面を有する上側光源エレメント用台座部と、一対の上側光源エレメント配置面にそれぞれ配置された第１上側光源エレメント及び第２上側光源エレメントとを有し、下側光源ユニットが、トンネル断面内で山型の稜線を形成する一対の下側光源エレメント配置面を形成した下側光源エレメント用台座部と、一対の下側光源エレメント配置面にそれぞれ配置された第１下側光源エレメント及び第２下側光源エレメントとを有し、第１上側光源エレメント、第２上側光源エレメント、第１下側光源エレメント及び第２下側光源エレメントが、光源光を出射する半導体発光素子と、この半導体発光素子を内包する集光レンズとをそれぞれ有し、トンネル断面内で上側光源ユニットよりケース基板に近い位置から上側光源ユニットを臨む凹状の光反射面を形成した上側光反射鏡と、トンネル断面内で下側光源ユニットよりケース基板に近い位置から下側光源ユニットを臨む凹状の光反射面を形成した下側光反射鏡とを備え、上側光反射鏡の中心線が、一対の上側光源エレメント配置面の交点に重なり、下側光反射鏡の中心線が、光源ユニット設置面に沿って一対の下側光源エレメント配置面の交点から光出射領域の外側寄りにずれ、第１上側光源エレメントが、トンネル断面内で第２上側光源エレメントより上側に配置され、第１下側光源エレメントが、トンネル断面内で第２下側光源エレメントより下側に配置され、上側光反射鏡の中心線と下側光反射鏡の中心線との中間点を通るとともに光源ユニット設置面に直交する法線と第１上側光源エレメントの上側エレメント端部及び光出射領域の上側領域端部を通る上側端部接続線とが形成する角度が、法線と第１下側光源エレメントの下側エレメント端部及び光出射領域の下側領域端部を通る下側端部接続線とが形成する角度より小さいことにより、照明光が照射されるべき路面以外に照射される照明光を無くして路面の照明照度の向上及び均一性の向上を実現するとともに消費電力増大を回避するものであれば、その具体的な実施の態様は、如何なるものであっても何ら構わない。
例えば、本発明の照明装置では、複数の半導体発光素子の全てが、複数の半導体発光素子のそれぞれに対応する集光レンズの中心軸からずらして配置されてもよい。
【００１４】
また、半導体発光素子は、無機材料の半導体材料からなるＬＥＤや有機ＥＬ素子等の自発光素子であればよい。
また、上側光源ユニット及び下側光源ユニットは、ケース基板の光源ユニット配置面に直接配置されていてもよいし、固定部材を介して間接的に配置されていてもよい。
また、上側光源ユニット及び下側光源ユニットは、路面に対する照度を向上させ且つその分布を均一にするように光源ユニット配置面に対する配置角度を適宜設定して取り付けられるとともに交換可能である。
また、半導体発光素子から出射された光源光は、集光レンズによって集光された後、光出射領域に配置された光拡散板を含む透明なカバーを介して拡散されてもよい。
なお、本発明の照明装置における「上側」及び「下側」とは、トンネルの壁面に照明装置を取り付けた状態における「上方」及び「下方」を意味する。
【００１５】
また、本発明の「一対の上側光源エレメント配置面の交点」及び「一対の下側光源エレメント配置面の交点」は、実際にこれら配置面が交差して交わっている状態のみだけでなく、一対の上側光源エレメント配置面をそれぞれ延長した仮想的な平面がトンネル断面内で相互に交わった点や一対の下側光源エレメント配置面をそれぞれ延長した仮想的な平面がトンネル断面内で相互に交わった点を含む概念である。
また、本発明の「下側光反射鏡の中心線が、光源ユニット設置面に沿って一対の下側光源エレメント配置面の交点から光出射領域の外側寄りにずれている」とは、「下側光反射鏡の中心線が、下側光源ユニットを基準にして上側光源ユニットの反対側における照明装置の外側に近い位置にずれている」ことを意味する。
【実施例】
【００１６】
本発明の一実施例に係る照明装置１００を図１乃至図７に基づいて説明する。
ここで、図１は、本発明の一実施例に係る照明装置の据え付け図であり、図２は、図１を通行方向に交差する方向から見たトンネル断面図であり、図３は、本発明の一実施例に係る照明装置を一部破断した斜視図であり、図４は、本発明の一実施例に係る照明装置の破断平面図であり、図５は、本発明の一実施例に係る照明装置の使用態様図であり、図６は、本発明の一実施例に係る照明装置の配置状態を示した平面図であり、図７は、本発明の一実施例に係る照明装置の断面図であり、図８は、本発明の一実施例に係る照明装置の拡大平面図である。
【００１７】
まず、図１及び図２に示すように、照明装置１００は、トンネルＴの壁面ＴＷに据え付けられた状態でトンネルＴ内の路面Ｇに対して光照射角度θの範囲に照明光Ｌを照射するものである。
光照射角度θは、後述する角度θ１及びθ２の和である。
【００１８】
次に、図１乃至図８に基づいて、照明装置１００の詳細な構成を説明する。
図１乃至図５に示すように、照明装置１００は、トンネルＴ内の通行方向に交差するトンネル断面内で路面Ｇに傾斜した状態でトンネルＴの壁面ＴＷに設置されるとともに光出射領域Ｒから路面Ｇに照明光Ｌを照射して路面Ｇを照らす。
【００１９】
本実施例に係る照明装置１００は、壁面ＴＷに固定されるケース基板１１１を含む光源ユニット収納ケース１１０と、ケース基板１１１に設置された上側光源ユニット１２０と、この上側光源ユニット１２０の下側でケース基板１１１に設置されているとともに上側光源ユニット１２０とケース基板１１１の光源ユニット設置面１１２とで形成される上側光源ユニット設置角度γ１より大きい角度である下側光源ユニット設置角度γ２を形成するようにケース基板１１１に設置された下側光源ユニット１３０とを備え、上側光源ユニット１２０が、トンネル断面内で相互に交差して山型の断面形状を形成する一対の斜線の少なくとも一部を構成する一対の上側光源エレメント配置面１２１Ａ、１２１Ｂを有する上側光源エレメント用台座部１２１と、一対の上側光源エレメント配置面１２１Ａ、１２１Ｂにそれぞれ配置された第１上側光源エレメント１２２Ａ及び第２上側光源エレメント１２２Ｂとを有し、下側光源ユニット１３０が、トンネル断面内で相互に交差して山型の断面形状を形成する一対の斜線の少なくとも一部を構成した一対の下側光源エレメント配置面１３１Ａ、１３１Ｂを有する下側光源エレメント用台座部１３１と、一対の下側光源エレメント配置面１３１Ａ、１３１Ｂにそれぞれ配置された第１下側光源エレメント１３２Ａ及び第２下側光源エレメント１３２Ｂとを有し、第１上側光源エレメント１２２Ａ、第２上側光源エレメント１２２Ｂ、第１下側光源エレメント１３２Ａ及び第２下側光源エレメント１３２Ｂが、光源光を出射する半導体発光素子１２２ＡＡ、１２２ＢＡ、１３２ＡＡ、１３２ＢＡと、これら半導体発光素子１２２ＡＡ、１２２ＢＡ、１３２ＡＡ、１３２ＢＡを内包する集光レンズ１２２ＡＢ、１２２ＢＢ、１３２ＡＢ、１３２ＢＢとをそれぞれ有していることにより、第１上側光源エレメント１２２Ａ、第２上側光源エレメント１２２Ｂ、第１下側光源エレメント１３２Ａ及び第２下側光源エレメント１３２Ｂのそれぞれの半導体発光素子１２２ＡＡ、１２２ＢＡ、１３２ＡＡ、１３２ＢＡから出射された光源光を各集光レンズ１２２ＡＢ、１２２ＢＢ、１３２ＡＢ、１３２ＢＢで集光した後、上側光源ユニット１２０及び下側光源ユニット１３０のそれぞれから照射範囲をずらして路面Ｇに照明光Ｌを照射するため、照明装置１００は、照明光Ｌが照射されるべき路面Ｇ以外に照射される照明光を無くして路面Ｇの照明照度の向上及び均一性の向上を実現するとともに消費電力増大を回避するようになっている。
【００２０】
なお、照明装置１００は、光源ユニット収納ケース１１０の開口部に設置された透明な板状部材１６０の光出射領域Ｒから照明光Ｌを路面Ｇに向かって出射する。
また、照明装置１００は、その長手方向ＤＬをトンネルＴ内の通行方向に平行にした状態で壁面ＴＷに取り付けられる。
【００２１】
照明装置１００は、上側光源ユニット設置角度γ１が、トンネル断面内で一対の上側光源エレメント配置面１２１Ａ、１２１Ｂのそれぞれの端部１２１ＡＡ、１２１ＢＡを相互に接続した上側仮想接続線ＶＬ１と光源ユニット設置面１１２に平行な仮想角度基準線ＶＬ０との交差角度であり、下側光源ユニット設置角度γ２が、トンネル断面内で一対の下側光源エレメント配置面１３１Ａ、１３１Ｂのそれぞれの端部１３１ＡＡ、１３１ＢＡを相互に接続した下側仮想接続線ＶＬ２と仮想角度基準線ＶＬ０との交差角度であることにより、上側仮想接続線ＶＬ１及び下側仮想接続線ＶＬ２のそれぞれと仮想角度基準線ＶＬ０との交差角度に応じて路面Ｇの広い範囲に照明光を照射するため、照明光Ｌが照射されるべき路面Ｇ以外に照射される照明光を確実に無くして路面Ｇの照明照度の向上及び均一性の向上をより一層実現するとともに消費電力増大をより一層回避するようになっている。
【００２２】
照明装置１００は、トンネル断面内で上側光源ユニット１２０よりケース基板１１１に近い位置から上側光源ユニット１２０を臨む凹状の光反射面１４１を形成した上側光反射鏡１４０と、トンネル断面内で下側光源ユニット１３０よりケース基板１１１に近い位置から下側光源ユニット１３０を臨む凹状の光反射面１５１を形成した下側光反射鏡１５０とを備え、上側光反射鏡１４０の中心線ＣＬ１が、一対の上側光源エレメント配置面１２１Ａ、１２１Ｂの交点に重なり、下側光反射鏡１５０の中心線ＣＬ２が、光源ユニット設置面１１２に沿って一対の下側光源エレメント配置面１３１Ａ、１３１Ｂの交点から光出射領域Ｒの外側寄りにずれていることにより、第１上側光源エレメント１２２Ａ、第２上側光源エレメント１２２Ｂ、第１下側光源エレメント１３２Ａ及び第２下側光源エレメント１３２Ｂのそれぞれの半導体発光素子１２２ＡＡ、１２２ＡＢ、１３２ＢＡ、１３２ＢＢから出射された光源光のうち光出射領域Ｒに向かわない光源光を上側光反射鏡１４０及び下側光反射鏡１５０のそれぞれの光反射面１４１、１５１で光出射領域Ｒに反射して光源光の無駄を回避するため、消費電力増大を回避して路面Ｒの照明照度の向上をより一層実現するようになっている。
【００２３】
照明装置１００は、第１上側光源エレメント１２２Ａが、トンネル断面内で第２上側光源エレメント１２２Ｂより上側に配置され、第１下側光源エレメント１３２Ａが、トンネル断面内で２下側光源エレメント１３２Ｂより下側に配置され、上側光反射鏡１４０の中心線ＣＬ１と下側光反射鏡１５０の中心線ＣＬ２との中間点Ｃを通るとともに光源ユニット設置面１１２に直交する法線ＮＬと第１上側光源エレメント１２２Ａの上側エレメント端部１２２ＡＥ及び光出射領域Ｒの上側領域端部ＲＥ１を通る上側端部接続線ＥＬ１とが形成する角度θ１が、法線ＮＬと第１下側光源エレメント１３２Ａの下側エレメント端部１３２ＡＥ及び光出射領域Ｒの下側領域端部ＲＥ２を通る下側端部接続線ＥＬ２とが形成する角度θ２より小さいことにより、相対的に第１上側光源エレメント１２２Ａ及び第２上側光源エレメント１２２Ｂより路面Ｇに近い位置に配置された第１下側光源エレメント１３２Ａ及び第２下側光源エレメント１３２Ｂの光出射方向をそれぞれ路面Ｇに向かせるため、無駄な光源光を無くして路面Ｇの照明照度の向上をより一層実現するようになっている。
【００２４】
なお、壁面ＴＷに取り付けられた照明装置１００と路面Ｇに平行な平面との角度δを４５°とした条件下で、角度θ１を２５°乃至４５°、角度θ２を７５°乃至８５°に設定するためには、集光レンズ１２２ＡＢ、１２２ＢＢ、１３２ＡＢ、１３２ＢＢのレンズ照射角αを２５°乃至４０°に設置するとともに上側光源エレメント配置面１２１Ａ、１２１Ｂ及び下側光源エレメント配置面１３１Ａ、１３１Ｂのそれぞれと上側仮想接続線ＶＬ１及び下側仮想接続線ＶＬ２のそれぞれとが形成する角度βを１０°乃至２０°に設定する。
これにより、照明装置１００は、照明光Ｌを照射する角度θを１００°乃至１１５°に設定することができる。
【００２５】
次に、図６乃至図８を参照しながら、トンネルＴの壁面ＴＷに取り付けられた照明装置１００を平面的に見た場合における照明光Ｌの照射範囲を説明する。
図６に示すように、照明装置１００は、路面Ｇの両側の壁面ＴＷに沿って据え付け間隔ｄを２０ｍとして複数取り付けられている。
また、路面Ｇの両側のそれぞれの壁面ＴＷに取り付けられた照明装置１００は、トンネルＴ内の通行方向に沿って等しい間隔で互い違いに壁面ＴＷに据え付けられている。
【００２６】
図６乃至図８に示すように、上述した光反射面１４１、１５１がトンネル断面において２次曲線を形成している場合、上側光源ユニット１２０からカバー１６０までの距離ａを５０乃至２００ｍｍに設定し、集光レンズ１２２ＡＢ、１２２ＢＢのレンズ中心からずれた位置に配置された半導体発光素子１２２ＡＡ、１２２ＢＡのずれ量ｂを１．５乃至２ｍｍに設定する。
加えて、下側光源ユニット１３０も、上側光源ユニット１２０と同様の距離ａ及びずれ量ｂを有している。
このような構成を有する照明装置１００によれば、平面的に見た照明光Ｌの照射角度ηを１１３°より大きくして、路面Ｇの広い範囲に高い照度で且つ均一な照明光Ｌを照射することができる。
【００２７】
以上説明したように、本実施例に係る照明装置１００は、光源ユニット収納ケース１１０と、上側光源ユニット１２０と、下側光源ユニット１３０とを備え、上側光源ユニット１２０が、上側光源エレメント用台座部１２１と、第１上側光源エレメント１２２Ａ及び第２上側光源エレメント１２２Ｂとを有し、下側光源ユニット１３０が、下側光源エレメント用台座部１３１と、第１下側光源エレメント１３２Ａ及び第２下側光源エレメント１３２Ｂとを有し、第１上側光源エレメント１２２Ａ、第２上側光源エレメント１２２Ｂ、第１下側光源エレメント１３２Ａ及び第２下側光源エレメント１３２Ｂが、半導体発光素子１２２Ａ、１２２ＢＡ、１３２ＡＡ、１３２ＢＡと、集光レンズ１２２ＡＢ、１２２ＢＢ、１３２ＡＢ、１３２ＢＢとをそれぞれ有していることにより、照明光Ｌが照射されるべき路面Ｇ以外に照射される照明光を無くして路面Ｇの照明照度の向上及び均一性の向上を実現するとともに消費電力増大を回避することができるなど、従来の照明装置に比べて格段に高い装置性能を発揮することができる点でその効果は甚大である。
【符号の説明】
【００２８】
１００  ・・・  照明装置
１１０  ・・・  光源ユニット収納ケース
１１１  ・・・  ケース基板
１１２  ・・・  光源ユニット配置面
１２０  ・・・  上側光源ユニット
１２１Ａ、１２１Ｂ  ・・・  上側光源エレメント配置面
１２２Ａ  ・・・  第１上側光源エレメント
１２２Ｂ  ・・・  第２上側光源エレメント
１２２ＡＡ、１２２ＢＡ、１３２ＡＡ、１３２ＢＡ  ・・・  半導体発光素子
１２２ＡＢ、１２２ＢＢ、１３２ＡＢ、１３２ＢＢ  ・・・  集光レンズ
１２２ＡＥ  ・・・  上側エレメント端部
１３０  ・・・  下側光源ユニット
１３１Ａ、１３１Ｂ  ・・・  下側光源エレメント配置面
１３２Ａ  ・・・  第１下側光源エレメント
１３２Ｂ  ・・・  第２下側光源エレメント
１３２ＡＥ  ・・・  下側エレメント端部
１４０  ・・・  上側光反射鏡
１４１、１５１  ・・・  光反射面
１５０  ・・・  下側光反射鏡
１６０  ・・・  カバー
ＣＬ１  ・・・  上側光反射鏡の中心線
ＣＬ２  ・・・  下側光反射鏡の中心線
Ｃ  ・・・  上側光反射鏡の中心線と下側光反射鏡の中心線との中間点
ＤＬ  ・・・  照明装置の長手方向
ＥＬ１  ・・・  上側端部接続線
ＥＬ２  ・・・  下側端部接続線
Ｇ  ・・・  路面
ＮＬ  ・・・  光源ユニット設置面の法線
Ｒ  ・・・  光出射領域
ＲＥ１  ・・・  上側領域端部
ＲＥ２  ・・・  下側領域端部
Ｔ  ・・・  トンネル
ＴＷ  ・・・  トンネルの壁面
ＶＬ０  ・・・  仮想角度基準線
ＶＬ１  ・・・  上側仮想接続線
ＶＬ２  ・・・  下側仮想接続線
α  ・・・  レンズ照射角
β  ・・・  各光源エレメント配置面と各仮想接続線とが形成する角度
γ１  ・・・  上側光源ユニット設置角度
γ２  ・・・  下側光源ユニット設置角度
δ  ・・・  ケース基板と路面に平行な平面とが形成する角度
θ１、θ２  ・・・  角度
θ  ・・・  光照射角度
【図１】
0005699067.tif 000002
【図２】
0005699067.tif 000003
【図３】
0005699067.tif 000004
【図４】
0005699067.tif 000005
【図５】
0005699067.tif 000006
【図６】
0005699067.tif 000007
【図７】
0005699067.tif 000008
【図８】
0005699067.tif 000009